(57)【要約】      （修正有）【課題】自動上下首振りを実現することができ、送風範囲が拡大され、構造が比較的簡単で、体積が小さく、市場で普及させることに有利な扇風機の自動上下首振り機構及びその扇風機を提供する。【解決手段】扇風機モータブラケット４の前端に固定的に取り付けられ、且つ、その回転軸にファンブレード２が取り付けられた扇風機モータ５を含み、扇風機モータブラケット４の後端には、揺動モータブラケット１０の頂部に取り付けられた回動部材が設置され、揺動モータブラケットには、その回転軸が伝動部材を介して回動部材と協働し、底部が支持ベース１１に固定された揺動モータ７が固定されている。【選択図】図１
0003208598.tif 000002
【実用新案登録請求の範囲】
【請求項１】
扇風機モータブラケットの前端に固定的に取り付けられ、且つ、その回転軸にファンブレードが取り付けられた扇風機モータを含み、前記扇風機モータブラケットの後端には、揺動モータブラケットの頂部に取り付けられた回動部材が設置されており、前記揺動モータブラケットには、その回転軸が伝動部材を介して前記回動部材と協働し、その底部が支持ベースに固定される揺動モータが固定されていることを特徴とする扇風機の自動上下首振り機構。
【請求項２】
前記回動部材は、いずれも扇風機モータブラケットの内側に設置される主回動軸と副回動軸を含み、主回動軸の外側に歯車面が設置されており、前記揺動モータの回転軸が歯車である伝動部材を介して該歯車面と協働することを特徴とする請求項１に記載の扇風機の自動上下首振り機構。
【請求項３】
前記扇風機モータブラケットと揺動モータブラケットの外側にそれぞれ扇風機モータ筐体と揺動モータ筐体が設置されていることを特徴とする請求項２に記載の扇風機の自動上下首振り機構。
【請求項４】
前記支持ベースに設置された制御回路と、請求項１〜３のいずれか一項に記載の上下首振り機構とを含み、前記ファンブレードの外部に保護カバーが掛けられていることを特徴とする自動上下首振り機構を備えた扇風機。
【請求項５】
前記揺動モータブラケットの底部には、その回転軸が前記揺動モータブラケットの底部から伸び出して、前記支持ベースの頂部に取り付けられた回転部材と協働する回転モータが取り付けられていることを特徴とする請求項４に記載の扇風機の自動上下首振り機構。 
【考案の詳細な説明】
【技術分野】
【０００１】
本考案は、扇風機製品に関し、具体的には扇風機の自動上下首振り機構及び自動上下首振り機構を備える扇風機に関する。
【背景技術】
【０００２】
扇風機は家庭常用電器として、使用するのに便利で、快適で、占用空間が小さい等の多くの長所により広範な消費者に好まれている。しかしながら、従来の扇風機において、一般には水平に首振りする機能だけしか備えておらず上下送風角度が調整不可能であり、又は手動調節によるだけしか上下送風角度を調整不可能であり、自動的に上下に首振りする機能を備えておらず、その送風範囲が狭い。
【考案の概要】
【考案が解決しようとする課題】
【０００３】
上記欠陥を克服するために、本考案は扇風機の自動上下首振り機構及び自動上下首振り機構を備えた扇風機を提供することを目的とする。
【課題を解決するための手段】
【０００４】
本考案の目的は以下の技術態様によって実現される。
【０００５】
本考案は、扇風機モータブラケットの前端に固定的に取り付けられ、且つ、その回転軸にファンブレードが取り付けられた扇風機モータを含み、前記扇風機モータブラケットの後端には、揺動モータブラケットの頂部に取り付けられた回動部材が設置されており、前記揺動モータブラケットには、その回転軸が伝動部材を介して前記回動部材と協働し、その底部が支持ベースに固定される揺動モータが固定されている扇風機の自動上下首振り機構である。
【０００６】
更に、前記回動部材は、いずれも扇風機モータブラケットの内側に設置された主回動軸と副回動軸を含み、主回動軸の外側に歯車面が設置されており、前記揺動モータの回転軸が歯車である伝動部材を介して該歯車面と協働する。
【０００７】
更に、前記扇風機モータブラケットと揺動モータブラケットの外側にそれぞれ扇風機モータ筐体と揺動モータ筐体が設置されている。
【０００８】
この自動上下首振り機構を備えた扇風機は、前記支持ベースに設置された制御回路と、上記のような上下首振り機構とを含み、前記ファンブレードの外部に保護カバーが掛けられている。
【０００９】
更に、前記揺動モータブラケットの底部には、その回転軸がモータブラケットの底部から伸び出して、前記支持ベースの頂部に取り付けられた回転部材と協働する回転モータが取り付けられている。
【考案の効果】
【００１０】
本考案は扇風機の自動上下首振りを実現することができ、その送風範囲が拡大され、その構造が比較的簡単であり、体積が小さく、市場で普及させることに有利である。
【図面の簡単な説明】
【００１１】
説明を容易にするために、本考案は下記好ましい実施例及び添付図面により詳細に記述する。
【００１２】
【図１】本考案の分解構造の模式図である。
【図２】本考案の断面構造の模式図である。
【図３】本考案の一動作状態の模式図である。
【図４】本考案の別の動作状態の模式図である。
【考案を実施するための形態】
【００１３】
本考案の目的、技術態様及び長所をより明らかにするために、次に添付図面及び実施例を参照して本考案を更に詳細に説明する。ここで記述される具体的な実施例は本考案の解釈のみに用いられ、本考案を限定するためのものではないことを理解すべきである。
【００１４】
図１〜図４を参照し、本考案は、扇風機モータブラケット４の前端に固定的に取り付けられ且つその回転軸にファンブレード２が取り付けられた扇風機モータ５を含み、前記扇風機モータブラケット４の後端には、揺動モータブラケット１０の頂部に取り付けられた回動部材が設置されており、前記揺動モータブラケット１０には、その回転軸が伝動部材を介して前記回動部材と協働し、その底部が支持ベース１１に固定される揺動モータ７が固定されている扇風機の自動上下首振り機構である
【００１５】
更に、前記回動部材は、いずれも扇風機モータブラケット４の内側に設置される主回動軸と副回動軸を含み、主回動軸の外側に歯車面が設置されており、前記揺動モータ７の回転軸が歯車である伝動部材を介して該歯車面と協働する。
【００１６】
更に、前記扇風機モータブラケット４と揺動モータブラケット１０の外側にそれぞれ扇風機モータ筐体３と揺動モータ筐体８が相互に独立するように設置されている。
【００１７】
上下揺動が必要になる時には、揺動モータ７の回転軸が回動し、且つ、回転軸上の歯車を介して主回動軸外側の歯車面と協働して、主回動軸を回動させて扇風機モータブラケット４を連れて上下に揺動させ、扇風機モータ５が該扇風機モータブラケット４の前端に固定されているので、自動的に上下方向に送風することが実現される。
【００１８】
本考案における扇風機モータブラケット４は、扇風機モータ５と扇風機モータ筐体３を支持し、扇風機モータ５に取り付けられたファンブレード２が扇風機モータ５の回転軸に伴って回転可能であり、ファンブレード２の外部に円形の保護カバー１を備えている。扇風機モータブラケット４の後端の両内側に主回動軸と副回動軸６、９が設置されており、扇風機モータ筐体３、ファンブレード２及びその保護カバー１は、自在に主回動軸と副回動軸６、９により制御可能な角度まで回転可能である。揺動モータ７は揺動モータ筐体８内の揺動モータブラケット１０に固定されており、扇風機モータブラケット４は回動部材の下方に筐体を実装可能な空間を備えない。
【００１９】
この自動上下首振り機構を備えた扇風機は、前記支持ベース１１に設置された制御回路と、上記のような上下首振り機構と、を含み、前記ファンブレード２の外部に保護カバー１が掛けられている。
【００２０】
更に、前記揺動モータブラケット１０の底部には、その回転軸が前記揺動モータブラケットの底部から伸び出して、前記支持ベース１１の頂部に取り付けられた回転部材１３と協働する回転モータ１２が取り付けられている。
【００２１】
水平揺動が必要になる時には、回転モータ１２の回転軸が回動して回転部材１３を駆動して、揺動モータブラケット１０を支持ベース１１に対して水平に揺動させる。
【００２２】
上記のものは本考案の好ましい実施例に過ぎず、本考案を限定するためのものではなく、本考案の精神と原則内で行われたいかなる修正、同等な切り替え及び改進等も本考案の保護範囲内に含まれるべきである。 
【図１】
0003208598.tif 000003
【図２】
0003208598.tif 000004
【図３】
0003208598.tif 000005
【図４】
0003208598.tif 000006